(57)【要約】      （修正有）【課題】手間をかけることなく、天井裏に設置でき、照明器具等の天井埋め込み器具が天井裏に敷設される断熱材と直接接するのを防止するための天井埋め込み器具用保護ケースを提供する。【解決手段】天井埋め込み器具用保護ケース１は、組み立てることにより、天井裏に配置される配置面と配置面と対向する対向面とが開口された直方体形状となり、天井埋め込み器具２の天井裏に埋設される埋設部の側周面を所定の間隔を隔てて取り囲み可能な囲い部３と、囲い部に設けられ、対向面を覆う蓋部４とを有しており、蓋部には、対向面を覆った状態で天井埋め込み器具の配線１７及び／又は吊り具を挿通するための切り欠き部５が設けられている。【選択図】図４
0003194971.tif 000002
【実用新案登録請求の範囲】
【請求項１】
天井裏に配置され、天井に埋め込んで配置される天井埋め込み器具が前記天井裏に敷設される断熱材と直接接するのを防止して前記天井埋め込み器具を保護するための天井埋め込み器具用保護ケースであって、
組み立てることにより、前記天井裏に配置される配置面と前記配置面と対向する対向面とが開口された直方体形状となり、前記天井埋め込み器具の前記天井裏に埋設される埋設部の側周面を所定の間隔を隔てて取り囲み可能な囲い部と、
前記囲い部に設けられ、組み立てることによりことにより前記対向面を覆う蓋部とを有しており、
前記蓋部は、前記対向面を覆った状態で前記天井埋め込み器具の配線及び／又は吊り具を挿通するための切り欠き部を有することを特徴とする天井埋め込み器具用保護ケース。
【請求項２】
前記蓋部は、前記囲い部における前記対向面の一辺に連設された第一の舌片と、前記対向面の前記一辺に対向する辺に連設された第二の舌片とを有しており、
前記第一の舌片及び前記第二の舌片の少なくともいずれか一方は、前記第一の舌片及び前記第二の舌片を前記囲い部の前記対向面に対して折り曲げ、他方の前記舌片を係止して組み立てるための係止スリットを有することを特徴とする請求項１に記載の天井埋め込み器具用保護ケース。
【請求項３】
段ボールシートにより形成されていることを特徴とする請求項１又は請求項２に記載の天井埋め込み器具用保護ケース。
【考案の詳細な説明】
【技術分野】
【０００１】
本考案は、天井埋め込み器具用保護ケースに関し、特に照明器具、スピーカー、空調機器等の天井埋め込み器具が天井裏に敷設される断熱材と直接接するのを防止して天井埋め込み器具を保護するための天井埋め込み器具用保護ケースに関する。
【背景技術】
【０００２】
従来、照明器具、スピーカー、空調機器等は、その背面側が天井の所定位置に設けられた埋込穴から天井の裏側に埋め込まれた状態で設置されることが多い。特に、大規模な商業施設や事務所では、このような埋込型の照明器具等が使用される。また、天井の裏側には、室内の冷暖房効率を上げるために、ブローイング工法などを用いてグラスウールなどの断熱材を敷設することが行われている。
【０００３】
一般社団法人日本照明工業会の規格に適合する一部のダウンライトでは、照明器具が断熱材に直接接した状態で覆われるようにして設置することができる。しかしながら、一般的な照明器具等は、断熱材に直接接した状態で覆われてしまうと、使用時に照明器具等が異常に発熱し、発煙や発火の原因となり危険である。そのため、一般的な照明器具等を設置する場合において、天井の裏側に断熱材を敷設するときは、照明器具等から断熱材を一定距離隔てて敷設する必要がある。
【０００４】
照明器具等から断熱材を一定距離隔てて敷設するために、従来、建築現場においては、大工がその場で、建築用の木材を用いて、一面が開口した箱状体を作成し、天井裏に開口面が接するようにして、天井の埋込穴に被せて配置した状態で、天井裏に断熱材を敷設することが行われている。このようにすることにより、天井の埋込穴に照明器具等を設置したときに、照明器具等が箱状体に覆われ、照明器具等の周囲に一定のスペースが確保される。したがって、天井裏に断熱材を敷設しても、照明器具等が断熱材と直接接することがない。
【０００５】
なお、上記手法は建築現場における慣行であるため、本明細書中に記載すべき先行技術文献情報が得られなかった。
【考案の概要】
【考案が解決しようとする課題】
【０００６】
しかしながら、上記手法では、大工が建築現場で箱状体を作成するため、非常に手間がかかるという問題があった。また、箱状体は、天井裏から埋込穴に被せて配置し、照明器具等の周囲に一定のスペースを確保するようにするために、箱状体の開口面の面積が天井の埋込穴の面積よりも大きく作られている上に、木材で作られているため、天井裏側から配置しなければならない。そのため、箱状体を天井裏以外で作成した場合は、箱状体を天井裏へ運び上げて配置することになり、この手間を省くためには、箱状体の材料となる木材を天井裏に運び上げ、天井裏で箱状体を作成しなければならず、いずれにしても手間がかかるという問題があった。特に、大規模な商業施設や事務所では、１フロアー当たり数十〜数百の照明器具等が設置されるため、その手間は多大であった。
【０００７】
そこで、本考案は、手間をかけることなく、天井裏に設置でき、照明器具等が天井裏に敷設される断熱材と直接接するのを防止して照明器具等を保護するための天井埋め込み器具用保護ケースを提供することを目的とする。
【課題を解決するための手段】
【０００８】
上記課題を解決するために、本考案による天井埋め込み器具用保護ケースは、天井裏に配置され、天井に埋め込んで配置される天井埋め込み器具が前記天井裏に敷設される断熱材と直接接するのを防止して前記天井埋め込み器具を保護するための天井埋め込み器具用保護ケースであって、組み立てることにより、前記天井裏に配置される配置面と前記配置面と対向する対向面とが開口された直方体形状となり、前記天井埋め込み器具の前記天井裏に埋設される埋設部の側周面を所定の間隔を隔てて取り囲み可能な囲い部と、前記囲い部に設けられ、組み立てることによりことにより前記対向面を覆う蓋部とを有しており、前記蓋部は、前記対向面を覆った状態で前記天井埋め込み器具の配線及び／又は吊り具を挿通するための切り欠き部を有することを特徴とする。
【０００９】
上述の天井埋め込み器具用保護ケースにおいて、前記蓋部は、前記囲い部における前記対向面の一辺に連設された第一の舌片と、前記対向面の前記一辺に対向する辺に連設された第二の舌片とを有しており、前記第一の舌片及び前記第二の舌片の少なくともいずれか一方は、前記第一の舌片及び前記第二の舌片を前記囲い部の前記対向面に対して折り曲げ、他方の前記舌片を係止して組み立てるための係止スリットを有することが好ましい。
【００１０】
上述の天井埋め込み器具用保護ケースは、段ボールシートにより形成されていることが好ましい。
【考案の効果】
【００１１】
本考案に係る天井埋め込み器具用保護ケースは、手間をかけることなく、天井裏に設置でき、照明器具等の天井埋め込み器具が天井裏に敷設される断熱材と直接接するのを防止して天井埋め込み器具を保護することができる。
【図面の簡単な説明】
【００１２】
【図１】本考案の実施形態に係る天井埋め込み器具用保護ケースの構造を模式的に示す斜視図である。
【図２】本考案の実施形態に係る天井埋め込み器具用保護ケースの展開図である。
【図３】本考案の実施形態に係る天井埋め込み器具用保護ケースの使用前の状態を模式的に示す平面図である。
【図４】本考案の実施形態に係る天井埋め込み器具用保護ケースの使用状態を模式的に示す斜視図である。
【図５】本考案の実施形態に係る天井埋め込み器具用保護ケースの変形例を模式的に示す斜視図である。
【図６】本考案の実施形態に係る天井埋め込み器具用保護ケースの他の変形例を模式的に示す斜視図である。
【図７】本考案の実施形態に係る天井埋め込み器具用保護ケースの他の変形例を模式的に示す斜視図である。
【図８】本考案の実施形態に係る天井埋め込み器具用保護ケースの他の変形例を模式的に示す斜視図である。
【考案を実施するための形態】
【００１３】
以下に、本考案の実施の形態について詳細に説明する。
【００１４】
本実施形態に係る天井埋め込み器具用保護ケース１は、照明器具２（図４参照）等の天井埋め込み器具が天井裏に敷設される断熱材（図示しない）と直接接するのを防止して照明器具２等を保護するものであり、図１に示すように、組み立てることにより、天井裏に配置される配置面と配置面と対向する対向面とが開口された直方体形状を有し、照明器具２等の天井裏に埋設される埋設部の側周面を所定の間隔を隔てて取り囲み可能な囲い部３と、囲い部３に設けられ、組み立てることにより対向面を覆う蓋部４とを有している。また、蓋部４は、対向面を覆った状態で照明器具２等の配線及び／又は吊り具を挿通するための切り欠き部５を有している。
【００１５】
囲い部３は、組み立てることにより、天井裏に配置される配置面と配置面と対向する対向面とが開口された直方体形状、すなわち角筒形状になるようになっている。囲い部３は、組み立てる前は、図３に示すように、角筒形状となった際に周面となる４面のうちの互いに隣接する２面と他の互いに隣接する２面とが重なるようにして折り畳まれた状態にできるようになっている。囲い部３は、折り畳まれた状態から、対向する面同士を互いに反対方向へスライドさせるようにして、中空部断面が方形状となるようにすることで、組み立てられるようになっている。
【００１６】
囲い部３の大きさは、特に限定されるものではないが、幅（対向面の長辺）が６０〜１５０ｃｍ、奥行き（対向面の短辺）が１５〜４０ｃｍであり、高さが２０〜４０ｃｍであり、天井裏に配置された際に、囲い部３の各面が対向する照明器具２の周面からそれぞれ１０〜１５ｃｍ、囲い部３の天井裏に配置される配置面と対向する対向面が照明器具２の上面から１０〜２０ｃｍ離れるようになる大きさであることが好ましい。これにより、断熱材を照明器具２から一定距離だけ離して天井裏に敷設することができる。
【００１７】
本実施の形態において、蓋部４は、囲い部３の天井裏に配置される配置面と対向する対向面の一の長辺に連設された第一の舌片６と、対向面の他の長辺に連設された第二の舌片７と、対向面の一の短辺に連接された第三の舌片８と、対向面の他の短辺に連接された第四の舌片９とにより構成されている。各舌片６，７，８，９は、対向面の各辺に対して折り曲げ可能に設けられている。蓋部４は、第一の舌片６と第二の舌片７のみから構成してもよいが、天井埋め込み器具用保護ケース１の強度を補強する観点から、第三の舌片８及び第四の舌片９を設けることが好ましい。
【００１８】
第一の舌片６及び第二の舌片７は、三角形の３つの頂点を切り欠いた形状を有しており、第三の舌片８及び第四の舌片９は、方形形状を有している。第一の舌片６及び第二の舌片７には、頂部の中央から底辺に対して垂直な方向に向けて所定長さの係止スリット１０がそれぞれ設けられている。なお、係止スリット１０は、必ずしも第一の舌片６及び第二の舌片７の両方に設ける必要はないが、ずれて動くことなく確実に係止させるためには、両方に設けることが好ましい。
【００１９】
蓋部４は、囲い部３を組み立てた状態で、各舌片６，７，８，９を、連接する囲い部３の各面に対して垂直に、囲い部３の対向面側に折り曲げ、第一の舌片６及び第二の舌片７の係止スリット１０を互いに係止させることにより組み立てられ、囲い部３の対向面を覆うようになっている。
【００２０】
第一の舌片６及び第二の舌片７の大きさは、組み立てた際に互いに係止させることができれば、特に限定されるものではない。第三の舌片８及び第四の舌片９の大きさも、特に限定されるものではないが、本実施の形態においては、各舌片６，７，８，９を組み立てた際に、第三の舌片８及び第四の舌片９における囲い部３の対向面の短辺と対向する辺が、第一の舌片６と第二の舌片７との交点から、対向面の短辺側に一定距離だけ離れて位置するような大きさになっている。これにより、後述のように、各舌片６，７，８，９を組み立てた際に、照明器具２等の配線及び／又は吊り具を挿通させる切り欠き部５を形成することができる。
【００２１】
切り欠き部５は、蓋部４が囲い部３の対向面を覆った際に、照明器具２の配線及び／又は吊り具が挿通でき、囲い部３の中から外の天井裏へ引き出すことができる穴が形成されれば、形状、大きさ、形成される場所等は特に限定されるものではないが、切り欠き部５の大きさは、１５〜３０ｃｍ２であることが好ましい。切り欠き部５の大きさは、照明器具２の配線及び／又は吊り具を挿通させる際の汎用性、照明器具２が使用される際に発せられる熱の放熱性を向上させる観点からは、１０ｃｍ２以上であることがさらに好ましく、ブローイング工法により敷設される断熱材が誤って囲い部３内に入ることを防止する観点からは、４０ｃｍ２以下であることがさらに好ましい。
【００２２】
本実施の形態においては、切り欠き部５は、各舌片６，７，８，９を組み立てた際に形成される第一の舌片６と第二の舌片７との交点、第一の舌片６と第三の舌片８又は第四の舌片９との交点、第二の舌片７と第三の舌片８又は第四の舌片９との交点の３点を頂点とする三角形状を有しており、対向面の中心から１５〜３０ｃｍ離れた線対称の位置に２か所、形成されている。
【００２３】
なお、切り欠き部５は、いずれか１つ又は複数の舌片６，７，８，９の端部を切り欠くことにより形成されるものに限定されるものではなく、いずれか１つ又は複数の舌片６，７，８，９の面内を各種形状に打ち抜くことにより形成されるものも含まれる。
【００２４】
本考案の実施形態に係る天井埋め込み器具用保護ケース１の材質は、天井埋め込み器具用保護ケース１を折り畳んだ状態から組み立てることができ、組み立てた後に自立することができるものであれば限定されることなく適用可能であるが、軽量であり低コストであることから、段ボールシート、厚紙、ポリプロピレンやポリエチレン等の樹脂シートが好適に用いられる。
【００２５】
段ボールシート等としては、材料中に難燃剤を含有させたり、バインダーに難燃剤を分散させたスラリー又は溶液を塗工したり含浸させたりして難燃性を付与した公知の段ボールシート等を用いることがより好ましい。
【００２６】
次に、本考案の実施形態に係る天井埋め込み器具用保護ケース１の製造方法について、説明する。段ボールシートを、図２に示すような天井埋め込み器具用保護ケース１の展開形状に形成する。本実施の形態による天井埋め込み器具用保護ケース１の展開形状は、図２に示すように、囲い部３を形成することになる第一の面１１と第二の面１２と第三の面１３と第四の面１４とが連続した方形形状を有しており、各面１１，１２，１３，１４の境界には折り曲げ用の罫線１５が設けられている。第四の面１４には継ぎしろ１６が連接されており、第四の面１４と継ぎしろとの境界にも折り曲げ用の罫線１５が設けられている。また、第一の面１１の紙面上端には第一の舌片６が、第二の面１２の紙面上端には第三の舌片８、第三の面１３の紙面上端には第二の舌片７が、第四の面１４の紙面上端には第四の舌片９がそれぞれ設けられており、第一の舌片６及び第二の舌片７の頂部には係止スリット１０が設けられている。
【００２７】
展開形状の形成は、例えば、切刃や罫線刃を組み込んだ抜き型を用いた型抜き加工により行うことができる。その後、展開形状を罫線１５に沿って折り曲げ、第一の面１１の端部と第４の面１４の端部とを継ぎしろ１６を介して接着剤等を用いて継合せる。なお、製造時に、第一の面１１の端部と第４の面１４の端部とを継合せることなく、建築現場において天井埋め込み器具用保護ケース１を組み立てる際に、ステープラー等を用いて継合せるようにしてもよい。
【００２８】
次に、本考案の実施形態に係る天井埋め込み器具用保護ケース１の使用方法について、説明する。天井埋め込み器具用保護ケース１を図３に示すように折り畳んだ状態で、建築現場の天井に設けられた照明器具２を埋め込んで設置するための埋込穴の室内側から、天井裏へ差し入れる。その後、室内側から天井裏に手を差し入れた状態で、天井埋め込み器具用保護ケース１の囲い部３となる対向する面同士を互いに反対方向へスライドさせるようにして、中空部断面が方形状となるように組み立て、各舌片６，７，８，９を、連接する囲い部３の各面に対して垂直に、囲い部３の対向面側に折り曲げ、第一の舌片６及び第二の舌片７の係止スリット１０を互いに係止させる。これにより、天井埋め込み器具用保護ケース１が、天井裏内で組み立てられる。そして、組み立てられた天井埋め込み器具用保護ケース１を、埋込穴を覆うように所定位置に配置する。このとき、天井埋め込み器具用保護ケース１の配置位置にいわゆるＣチャンネル等の梁２０がある場合は、図４に示すように、囲い部３の対応する位置を切り欠いて使用してもよい。これにより、天井埋め込み器具用保護ケース１が所定位置からずれることなく安定して配置される。
【００２９】
その後、図４に示すように、埋込穴の室内側から照明器具２を埋め込んで設置し、天井裏側からは照明器具２の配線１７や吊り具（図示しない）を天井埋め込み器具用保護ケース１の蓋部４の切り欠き部５から引き出し、配線１７は所定箇所に引き回し、吊り具は所定位置に固定する。その後、天井裏にブローイング工法などを用いてグラスウールなどの断熱材（図示しない）を敷設する。この時、照明器具２は、図４に示すように、天井埋め込み器具用保護ケース１に覆われた状態になっているため、断熱材が照明器具２に直接接することはない。
【００３０】
なお、本考案による天井埋め込み器具用保護ケース１が好適に適用される照明器具２としては、例えば、ＰＨＦ３２型×１灯用、ＰＨＦ３２Ｗ型×２灯用、ＦＬ２０Ｗ型×１灯用、ＦＬ２０Ｗ×型×２灯用、ＦＬ４０Ｗ型×１灯用、ＦＬ４０Ｗ型×２灯用、これ等と同様の直管形ＬＥＤ（Light Emitting Diode、発光ダイオード)用の照明器具等が挙げられる。
【００３１】
上記では、照明器具２が設置される前に、天井埋め込み器具用保護ケース１を天井裏に配置する例を説明したが、照明器具２が設置された後であって断熱材を敷設する前に、天井埋め込み器具用保護ケース１を配置することもできる。この場合は、天井埋め込み器具用保護ケース１を折り畳んだ状態で天井裏に運び上げ、天井裏で天井埋め込み器具用保護ケース１を組み立てて、所定の位置に配置する。また、上記では、照明器具２に対して使用する例を説明したが、スピーカーや空調機器等の他の天井埋め込み器具に対しても、同様にして使用することができる。
【００３２】
次に、本考案の実施形態に係る天井埋め込み器具用保護ケース１の変形例について、説明する。上述の例では、第一の舌片６及び第二の舌片７に、頂部の中央から底辺に対して垂直な方向に向けて所定長さの係止スリット１０を設けるようにしたが、係止スリット１０１を底辺側の中央部に設けるようにし、他方の舌片の頂部を係止スリット１０１に上方から又は下方から差し込むようにして係止させてもよい。
【００３３】
また、図６に示すように、係止スリット１０を設けることなく、第一の舌片６及び第二の舌片７の頂部の片側を切り欠き、第一の舌片６と第二の舌片７とを互い違いに組むことで、第一の舌片６と第二の舌片７とが互いに係止されるようにしてもよい。この場合、図７に示すように、各舌片６，７，８，９をそれぞれ隣接する舌片に対して互い違いに組んだ状態にし、この状態で各舌片６，７，８，９を囲い部３の内側に折り曲げるようにして、囲い部３の互いに対向する面を反対方向にスライドさせるようにして押しつぶし、折り畳んだ状態にしておけば、使用時に囲い部３を組み立てるのみで、蓋部４も自動的に組み立てることができる。
【００３４】
さらに、上述の例では、蓋部４は第一の舌片６、第二の舌片７、第三の舌片８及び第四の舌片９で構成するようにしたが、図７に示すように、第一の舌片６、第二の舌片７に替えて、囲い部３の天井裏に配置される配置面と対向する対向面の一の長辺に連設される１つの舌片６７のみを設けるとともに、舌片６７の先端部に継ぎしろ１５１を設け、継ぎしろ１５１を折り曲げて囲い部３の内側に収容させることにより、蓋部４を組み立てるようにしてもよい。この場合、舌片６７の側端部を三角形状に切り欠くことにより、切り欠き部５を形成することができる。さらに、継ぎしろ１５１と舌片６７との境界中央部に差込口１７を設けるとともに、囲い部３の継ぎしろ１５１が接する面の上端中央部に差込片１８を設け、差込口１７に差込片１８を差し込むようにすれば、より確実に蓋部４が囲い部３の対向面を覆った状態で固定される。なお、本変形例においても、第三の舌片８及び第四の舌片９は省略することができ、省略した場合、上記舌片６７のみで蓋部４が構成される。
【００３５】
また、図８に示すように、囲い部３の下部に全周に渡って切り取り線１９を設けてもよい。切り取り線１９は、天井裏に配置される梁の高さに対応する位置に形成され、低い位置に配置される梁に対応する切り取り線１９１と、高い位置に配置される梁に対応する切り取り線１９２のように、複数形成してもよい。切り取り線１９を設けることにより、天井埋め込み器具用保護ケース１を配置する際に、囲い部３の梁に対応する位置を切り欠くときに容易に切り欠くことができる。
【００３６】
以上のように、本考案の天井埋め込み器具用保護ケース１は、折り畳んだ状態から容易に組み立てることができるため、手間をかけることなく所定の位置に設置することができ、照明器具２等が天井裏に敷設される断熱材と直接接するのを防止して照明器具２等の天井埋め込み器具を保護することがでる。また、囲い部３と蓋部４とを有するため、照明器具２等の周辺に断熱材が敷設されないことによる断熱効果の低下を低減することができる。
【符号の説明】
【００３７】
１：天井埋め込み器具用保護ケース
２：照明器具
３：囲い部
４：蓋部
５：切り欠き部
６：第一の舌片
７：第二の舌片
８：第三の舌片
９：第四の舌片
１０：係止スリット
【図１】
0003194971.tif 000003
【図２】
0003194971.tif 000004
【図３】
0003194971.tif 000005
【図４】
0003194971.tif 000006
【図５】
0003194971.tif 000007
【図６】
0003194971.tif 000008
【図７】
0003194971.tif 000009
【図８】
0003194971.tif 000010